(57)【要約】【課題】電源のオン／オフおよびモード切替の操作性を向上させる。【解決手段】電源・モード選択スイッチ１７は、左右方向にスライド操作させることにより電源のオン／オフおよび動作モードの選択を行い、上下方向に回動操作させることにより各動作モードの切替を行う。電源・モード選択スイッチ１７が電源オフ位置にある状態（Ａ）で、再生モードＭ２　にてデジタルカメラ２の電源をオンする場合は、電源・モード操作スイッチ１７を右方向にスライドさせながら上下方向に回動操作して、指標１７ａを再生モードＭ２　を表すモードマーク３０ｂに合わせる（Ｂ）。電源がオンした状態でモード切替を行う場合は、電源・モード選択スイッチ１７をモード選択位置に保持した状態で上下方向に回動操作し、指標１７ａを切り替えたい操作モードを示すモードマークに合わせる（Ｃ）。【選択図】　　　　図３
2004077794.tif 000002
【特許請求の範囲】
【請求項１】
異なる動作を実行する少なくとも２つの動作モードを備えた電子機器において、
電源オンと前記動作モードの選択とを同時に行い、且つ電源をオフせずに各動作モードの切替を行う操作部を設けたことを特徴とする電子機器。
【請求項２】
前記操作部は、電源がオフされるオフ位置と、電源がオンされるオン位置上で各動作モードが選択される複数のモード選択位置と、これらの位置の間を移動自在な操作部材とからなることを特徴とする請求項１に記載の電子機器。
【請求項３】
前記操作部は、電源がオフされる電源オフ部材と、電源オンと同時に各動作モードが選択されるモード選択部材とからなることを特徴とする請求項１に記載の電子機器。
【発明の詳細な説明】
【０００１】
【発明の属する技術分野】
本発明は、デジタルカメラや携帯電話などの電子機器に関し、さらに詳しくは、異なる動作を実行する複数の動作モードを備えた電子機器に関する。
【０００２】
【従来の技術】
ＣＣＤイメージセンサなどで撮像した被写体画像をデジタルの画像データに変換し、内蔵メモリやメモリカードなどの記憶媒体に保存するデジタルカメラが普及している。デジタルカメラには、静止画を撮影する静止画撮影モード、撮影した画像を液晶モニタなどに表示する再生モード、被写体の動画像を記録する動画撮影モードなどの様々な動作モードがある。従来のデジタルカメラでは、例えば押圧式の電源スイッチにより電源のオン／オフを行い、スライド式のモード切替スイッチにより各種動作モードの切替を行っていた。
【０００３】
【発明が解決しようとする課題】
しかしながら、上記のようなデジタルカメラには、電源のオン／オフとモード切替とを別々に行う必要があるため、操作性の点で問題があった。
【０００４】
本発明は、電源のオン／オフおよびモード切替の操作性を向上させた電子機器を提供することを目的とする。
【０００５】
【課題を解決するための手段】
上記目的を達成するために、本発明は、異なる動作を実行する少なくとも２つの動作モードを備えた電子機器において、電源オンと前記動作モードの選択とを同時に行い、且つ電源をオフせずに各動作モードの切替を行う操作部を設けたことを特徴とする。
【０００６】
なお、前記操作部は、電源がオフされるオフ位置と、電源がオンされるオン位置上で各動作モードが選択される複数のモード選択位置と、これらの位置の間を移動自在な操作部材とからなることが好ましい。また、前記操作部は、電源がオフされる電源オフ部材と、電源オンと同時に各動作モードが選択されるモード選択部材とから構成してもよい。
【０００７】
【発明の実施の形態】
図１および図２において、デジタルカメラ２の正面には、矢印方向にスライド操作自在なレンズバリア１０が設けられている。このレンズバリア１０を図１に示す開放位置にスライドさせることにより、撮像レンズ１１、ストロボ発光部１２が露呈して撮影可能状態となる。
【０００８】
撮像レンズ１１の背後には、図示しないＣＣＤが配置されている。ＣＣＤからの撮像信号は、各種信号処理によりデジタルの画像データに変換される。この画像データは、デジタルカメラ２の背面に設けられた液晶表示部（ＬＣＤ）１３で、いわゆるスルー画像として表示される。また、デジタルカメラ２には光学ファインダを構成するファインダ対物窓１４、ファインダ接眼窓１５が設けられており、これらを通して被写体画像のフレーミングが行われる。
【０００９】
デジタルカメラ２の上面には、レリーズボタン１６が設けられている。ＬＣＤ１３または光学ファインダによるフレーミングの後にレリーズボタン１６を押圧操作することで、１画面分の撮像信号が画像データに変換され、メモリカード（図示せず）などの記憶媒体に静止画として記憶される。
【００１０】
デジタルカメラ２の背面には、ＬＣＤ１３のほかに、電源のオン／オフおよび後述する動作モードＭ１　〜Ｍ３　の切替を行う電源・モード選択スイッチ１７、撮像レンズ１１のズームレンズ（図示せず）をワイド側、テレ側に変倍するズーム操作スイッチ１８、ＬＣＤ１３に表示されるメニュー画面内でカーソルを移動させるカーソル操作板１９からなる操作部２０が設けられている。
【００１１】
デジタルカメラ２には、静止画の撮影を行う静止画撮影モードＭ１　、撮影した画像をＬＣＤ１３に表示する再生モードＭ２　、被写体の動画像を記録する動画撮影モードＭ３　の３つの動作モードがある。電源・モード選択スイッチ１７は、これを左右方向にスライド操作させることにより電源のオン／オフおよび動作モードの選択を行い、上下方向に回動操作させることにより各動作モードの切替を行う。電源・モード選択スイッチ１７のオン位置には、各動作モードが設けられている。
【００１２】
電源・モード選択スイッチ１７の周辺を拡大した図３において、（Ａ）は電源・モード選択スイッチ１７が左側の電源オフ位置にある状態を示している。この状態で再生モードＭ２　にてデジタルカメラ２の電源をオンする場合は、電源・モード選択スイッチ１７を右方向にスライドさせながら上下方向に回動操作して、（Ｂ）に示すようにその先端に設けられた指標１７ａを再生モードＭ２　を表すモードマーク３０ｂに合わせる。同様に、静止画撮影モードＭ１　あるいは動画撮影モードＭ３　にて電源をオンする場合は、電源・モード選択スイッチ１７を右方向にスライドさせながら指標１７ａを静止画撮影モードＭ１　を表すモードマーク３０ａあるいは動画撮影モードＭ３　を表すモードマーク３０ｃに合わせる。
【００１３】
電源がオンした状態で動作モードの切替を行う場合は、（Ｃ）に示すように、電源・モード選択スイッチ１７を右側のモード選択位置に保持した状態で上下方向に回動操作し、指標１７ａを切り替えたい動作モードを示すモードマーク、例えばモードマーク３０ａに合わせる。このような構成にすると、電源のオンと動作モードの選択とを同時に行うことができ、且つ電源をオフせずに動作モードの切替を行うことができる。なお、電源・モード選択スイッチ１７は、例えばスイッチのスライド操作と連動して電源をオン／オフする金属接片と、スイッチの回動操作と連動して各モードの切替を行う金属接片とで構成される。
【００１４】
なお、電源・モード選択スイッチとしては、図４〜図６に示すような構造であってもよい。図４に示す電源・モード選択スイッチ４０は、電源オフ位置と電源がオンされるオン位置上で各動作モードが選択されるモード選択位置との間で、三角形状の移動経路４１を介して移動自在となっている。また、図５に示す電源・モード選択スイッチ５０は、電源オフ位置とモード選択位置との間で、菱形状の移動経路５１を介して移動自在となっている。このようにすると、電源・モード選択スイッチの操作が各位置間の移動に限定されるので、機械的構造を簡単にすることができる。
【００１５】
図６に示す電源・モード選択スイッチ６０は、押圧式の電源オフボタン６１と、各動作モードの選択と同時に電源がオンされるモード選択ボタン６２ａ〜６２ｃとからなる。このようにすると、各ボタンの押圧操作のみで電源のオン／オフと動作モードの切替を行えるので、さらに操作性を向上させることができる。
【００１６】
上記実施形態では、電子機器としてデジタルカメラを挙げて説明したが、異なる動作を実行する複数の動作モードを備えた他の電子機器、例えば携帯電話や写真カメラなどにも本発明を適用することができる。
【００１７】
【発明の効果】
以上のように、本発明の電子機器によれば、電源オンと動作モードの選択とを同時に行い、且つ電源をオフせずに各動作モードの切替を行うので、電源のオン／オフおよびモード切替の操作性を向上させることができる。さらに、電源をオンしたまま別の動作モードに移行することができるので、電源をオフしてから動作モードを選択する場合と比べて回路の動作を安定させることができる。
【図面の簡単な説明】
【図１】本発明を実施したデジタルカメラの正面概観斜視図である。
【図２】図１に示したデジタルカメラの背面概観斜視図である。
【図３】電源・モード選択スイッチの周辺拡大図であり、（Ａ）は電源オフ位置にある状態、（Ｂ）は再生モードが選択された状態、（Ｃ）は静止画撮影モードに切り替えた状態をそれぞれ示す。
【図４】本発明の別の実施形態を示す図である。
【図５】本発明の別の実施形態を示す図である。
【図６】本発明の別の実施形態を示す図である。
【符号の説明】
２　デジタルカメラ
１３　液晶表示部
１７　電源・モード選択スイッチ
２０　操作部
３０ａ〜３０ｃ　モードマーク
【図１】
2004077794.tif 000003
【図２】
2004077794.tif 000004
【図３】
2004077794.tif 000005
【図４】
2004077794.tif 000006
【図５】
2004077794.tif 000007
【図６】
2004077794.tif 000008